【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能な第１始動口と、
前記第１始動口への入球に応じて第１の抽選を実行する第１抽選手段と、
前記第１の抽選の結果に応じて図柄を変動表示させる第１表示制御手段と、
前記遊技領域の所定位置に設けられ、閉鎖状態から開放状態へ変化可能であり、遊技球の入球が遊技者への利益付与の契機となる第１可変入球装置と、
遊技者にとって通常遊技より有利な状態である第１の特別遊技を実行するための条件である第１の作動条件を保持する第１作動条件保持手段と、
前記第１表示制御手段により変動表示される図柄が所定の当たり図柄で停止されたときに前記第１の作動条件が成立したと判定し、前記第１の特別遊技を実行する第１特別遊技実行手段と、
前記遊技領域の所定位置に設けられ、遊技球が入球可能な第２始動口と、
前記第２始動口への入球に応じて第２の抽選を実行する第２抽選手段と、
前記第２の抽選の結果に応じて図柄を変動表示させる第２表示制御手段と、
前記遊技領域に設けられ、前記第２表示制御手段により変動表示される図柄が所定の当たり図柄で停止されたときに入球可能となるよう拡開する拡開式の入球口である可変入球口と、
前記遊技領域の所定位置に設けられ、閉鎖状態から開放状態へ変化可能であり、遊技球の入球が遊技者への利益付与の契機となる第２可変入球装置と、
遊技者にとって通常遊技より有利な状態である第２の特別遊技を実行するための条件である第２の作動条件を保持する第２作動条件保持手段と、
前記可変入球口に遊技球が入球したときに前記第２の作動条件が成立したと判定し、前記第２可変入球装置を開放させることにより前記第２の特別遊技における第１段階を実行し、その第１段階において前記第２可変入球装置内の特定領域へ遊技球が入球した場合に前記第２の特別遊技における第２段階への移行条件が成立したと判定し、前記第１可変入球装置を開放させる単位遊技を予め決定された回数分繰り返す前記第２の特別遊技における第２段階を実行する第２特別遊技実行手段と、
前記第１の特別遊技または前記第２の特別遊技の一方の特別遊技が実行されているときには、他方の特別遊技の実行を回避させる作動回避手段と、
前記第１の特別遊技または第２の特別遊技の終了後から前記第１表示制御手段による図柄変動表示の回数が設定回数に達したときに成立し得る条件である特定遊技終了条件が成立するまでの間、前記第２表示制御手段による図柄の変動時間を短縮させるとともに前記可変入球口の拡開時間を延長させる特定遊技状態へ移行することにより、前記可変入球口への入球可能性および前記第２の特別遊技の発生可能性を前記特定遊技状態への移行前よりも高める特定遊技制御手段と、を備え、
前記特定遊技制御手段は、前記第１の特別遊技または前記第２の特別遊技へ移行することに基づいて前記設定回数を決定し、前記設定回数の変動終了時に前記特定遊技状態を終了させるものの、前記第１表示制御手段による図柄変動表示の回数が前記設定回数に達して前記特定遊技終了条件が成立した時点で前記第２表示制御手段による図柄が既に変動中である場合には、当該変動に限り前記第２表示制御手段による図柄の変動時間を前記特定遊技状態のまま維持し、
前記特定遊技状態において前記第２の特別遊技が発生したときに設定される前記設定回数は、前記特定遊技状態において前記第１の特別遊技が発生したときに設定される前記設定回数より多くなりやすい構成とされていることを特徴とする弾球遊技機。
【請求項２】
遊技領域が形成された遊技盤と、
前記遊技領域の所定位置に設けられ、遊技球が入球可能な第１始動口と、
前記第１始動口への入球を契機に第１の抽選を実行する第１抽選手段と、
前記第１の抽選の結果に応じて図柄を変動表示させる第１表示制御手段と、
前記遊技領域の所定位置に設けられ、閉鎖状態から開放状態へ変化可能であり、遊技球の入球が遊技者への利益付与の契機となる可変入球装置と、
遊技者にとって通常遊技より有利な状態である第１の特別遊技を実行するための条件である第１の作動条件を保持する第１作動条件保持手段と、
前記第１表示制御手段により変動表示される図柄が所定の当たり図柄で停止されたときに前記第１の作動条件が成立したと判定し、前記第１の特別遊技を実行する第１特別遊技実行手段と、
前記遊技領域の所定位置に設けられ、遊技球が入球可能な第２始動口と、
前記第２始動口への入球を契機に第２の抽選を実行する第２抽選手段と、
前記第２の抽選の結果に応じて図柄を変動表示させる第２表示制御手段と、
前記遊技領域に設けられ、前記第２表示制御手段により変動表示される図柄が所定の当たり図柄で停止されたときに入球可能となるよう拡開する拡開式の入球口である可変入球口と、
前記可変入球口への入球を契機に第３の抽選を実行する第３抽選手段と、
前記第３の抽選の結果に応じて図柄を変動表示させる第３表示制御手段と、
遊技者にとって通常遊技より有利な状態である第２の特別遊技を実行するための条件である第２の作動条件を保持する第２作動条件保持手段と、
前記第３表示制御手段により変動表示される図柄が所定の当たり図柄で停止されたときに前記第２の作動条件が成立したと判定し、前記可変入球装置を開放させる単位遊技を予め決定された回数分繰り返す前記第２の特別遊技を実行する第２特別遊技実行手段と、
前記第１の特別遊技または前記第２の特別遊技の一方の特別遊技が実行されているときには、他方の特別遊技の実行を回避させる作動回避手段と、
前記第１の特別遊技または第２の特別遊技の終了後から前記第１表示制御手段による図柄変動表示の回数が設定回数に達したときに成立し得る条件である特定遊技終了条件が成立するまでの間、前記第２表示制御手段による図柄の変動時間を短縮させるとともに前記可変入球口の拡開時間を延長させる特定遊技状態へ移行することにより、前記可変入球口への入球可能性および前記第２の特別遊技の発生可能性を前記特定遊技状態への移行前よりも高める特定遊技制御手段と、を備え、
前記特定遊技制御手段は、前記第１の特別遊技または前記第２の特別遊技へ移行することに基づいて前記設定回数を決定し、前記設定回数の変動終了時に前記特定遊技状態を終了させるものの、前記第１表示制御手段による図柄変動表示の回数が前記設定回数に達して前記特定遊技終了条件が成立した時点で前記第２表示制御手段による図柄が既に変動中である場合には、当該変動に限り前記第２表示制御手段による図柄の変動時間を前記特定遊技状態のまま維持し、
前記特定遊技状態において前記第２の特別遊技が発生したときに設定される前記設定回数は、前記特定遊技状態において前記第１の特別遊技が発生したときに設定される前記設定回数より多くなりやすい構成とされていることを特徴とする弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球が入球可能な第１始動口と、第１始動口への入球に応じて第１の抽選を実行する第１抽選手段と、第１の抽選の結果に応じて図柄を変動表示させる第１表示制御手段と、遊技領域の所定位置に設けられ、閉鎖状態から開放状態へ変化可能であり、遊技球の入球が遊技者への利益付与の契機となる第１可変入球装置と、遊技者にとって通常遊技より有利な状態である第１の特別遊技を実行するための条件である第１の作動条件を保持する第１作動条件保持手段と、第１表示制御手段により変動表示される図柄が所定の当たり図柄で停止されたときに第１の作動条件が成立したと判定し、第１の特別遊技を実行する第１特別遊技実行手段と、遊技領域の所定位置に設けられ、遊技球が入球可能な第２始動口と、第２始動口への入球に応じて第２の抽選を実行する第２抽選手段と、第２の抽選の結果に応じて図柄を変動表示させる第２表示制御手段と、遊技領域に設けられ、第２表示制御手段により変動表示される図柄が所定の当たり図柄で停止されたときに入球可能となるよう拡開する拡開式の入球口である可変入球口と、遊技領域の所定位置に設けられ、閉鎖状態から開放状態へ変化可能であり、遊技球の入球が遊技者への利益付与の契機となる第２可変入球装置と、遊技者にとって通常遊技より有利な状態である第２の特別遊技を実行するための条件である第２の作動条件を保持する第２作動条件保持手段と、可変入球口に遊技球が入球したときに第２の作動条件が成立したと判定し、第２可変入球装置を開放させることにより第２の特別遊技における第１段階を実行し、その第１段階において第２可変入球装置内の特定領域へ遊技球が入球した場合に第２の特別遊技における第２段階への移行条件が成立したと判定し、第１可変入球装置を開放させる単位遊技を予め決定された回数分繰り返す第２の特別遊技における第２段階を実行する第２特別遊技実行手段と、第１の特別遊技または第２の特別遊技の一方の特別遊技が実行されているときには、他方の特別遊技の実行を回避させる作動回避手段と、第１の特別遊技または第２の特別遊技の終了後から第１表示制御手段による図柄変動表示の回数が設定回数に達したときに成立し得る条件である特定遊技終了条件が成立するまでの間、第２表示制御手段による図柄の変動時間を短縮させるとともに可変入球口の拡開時間を延長させる特定遊技状態へ移行することにより、可変入球口への入球可能性および第２の特別遊技の発生可能性を特定遊技状態への移行前よりも高める特定遊技制御手段と、を備え、特定遊技制御手段は、第１の特別遊技または第２の特別遊技へ移行することに基づいて設定回数を決定し、設定回数の変動終了時に特定遊技状態を終了させるものの、第１表示制御手段による図柄変動表示の回数が設定回数に達して特定遊技終了条件が成立した時点で第２表示制御手段による図柄が既に変動中である場合には、当該変動に限り第２表示制御手段による図柄の変動時間を特定遊技状態のまま維持し、特定遊技状態において第２の特別遊技が発生したときに設定される設定回数は、特定遊技状態において第１の特別遊技が発生したときに設定される設定回数より多くなりやすい構成とされている。
【手続補正３】
【補正対象書類名】明細書
【補正対象項目名】０００７
【補正方法】変更
【補正の内容】
【０００７】
この態様における弾球遊技機としては、従来の第１種ぱちんこ遊技機と第２種ぱちんこ遊技機を混在させたような遊技機などを想定する。可変入球装置において、遊技者に不利な状態とは、遊技球の入口が閉鎖した状態ないしは狭い状態を指してもよく、遊技者に有利な状態とは、遊技球の入口が開放した状態ないしは相対的に広い状態を指してもよい。この態様によると、特別遊技の終了後は図柄変動表示の時間が短縮されるので、設定回数が多いほど作動条件が成立するまでの期間、すなわち次の大当たりまでの期間が短縮される。また、開閉可能な普通電動役物が始動入賞口の上方に設けられている場合、設定回数に達するまでの間、普通電動役物の１回の開放時間を長くしてもよい。その場合、設定回数が多いほど始動入賞口への入球が多くなり、次の大当たりまでの期間が短縮される。また、設定回数に達するまでの間、普通電動役物を開放させる確率を高めてもよい。その場合もまた、設定回数が多いほど始動入賞口への入球が多くなり、次の大当たりまでの期間が短縮される。このように、設定回数次第で大当たりの発生しやすさが変わるので、設定回数の決定を通じて遊技性向上を図ることができる。また、遊技状態に応じて設定回数を決定するので、遊技状態に応じて度合いの異なる期待感を遊技者に与えることができる。
【手続補正４】
【補正対象書類名】明細書
【補正対象項目名】０００８
【補正方法】変更
【補正の内容】
【０００８】
また、本発明のある態様の弾球遊技機は、遊技領域が形成された遊技盤と、遊技領域の所定位置に設けられ、遊技球が入球可能な第１始動口と、第１始動口への入球を契機に第１の抽選を実行する第１抽選手段と、第１の抽選の結果に応じて図柄を変動表示させる第１表示制御手段と、遊技領域の所定位置に設けられ、閉鎖状態から開放状態へ変化可能であり、遊技球の入球が遊技者への利益付与の契機となる可変入球装置と、遊技者にとって通常遊技より有利な状態である第１の特別遊技を実行するための条件である第１の作動条件を保持する第１作動条件保持手段と、第１表示制御手段により変動表示される図柄が所定の当たり図柄で停止されたときに第１の作動条件が成立したと判定し、第１の特別遊技を実行する第１特別遊技実行手段と、遊技領域の所定位置に設けられ、遊技球が入球可能な第２始動口と、第２始動口への入球を契機に第２の抽選を実行する第２抽選手段と、第２の抽選の結果に応じて図柄を変動表示させる第２表示制御手段と、遊技領域に設けられ、第２表示制御手段により変動表示される図柄が所定の当たり図柄で停止されたときに入球可能となるよう拡開する拡開式の入球口である可変入球口と、可変入球口への入球を契機に第３の抽選を実行する第３抽選手段と、第３の抽選の結果に応じて図柄を変動表示させる第３表示制御手段と、遊技者にとって通常遊技より有利な状態である第２の特別遊技を実行するための条件である第２の作動条件を保持する第２作動条件保持手段と、第３表示制御手段により変動表示される図柄が所定の当たり図柄で停止されたときに第２の作動条件が成立したと判定し、可変入球装置を開放させる単位遊技を予め決定された回数分繰り返す第２の特別遊技を実行する第２特別遊技実行手段と、第１の特別遊技または第２の特別遊技の一方の特別遊技が実行されているときには、他方の特別遊技の実行を回避させる作動回避手段と、第１の特別遊技または第２の特別遊技の終了後から第１表示制御手段による図柄変動表示の回数が設定回数に達したときに成立し得る条件である特定遊技終了条件が成立するまでの間、第２表示制御手段による図柄の変動時間を短縮させるとともに可変入球口の拡開時間を延長させる特定遊技状態へ移行することにより、可変入球口への入球可能性および第２の特別遊技の発生可能性を特定遊技状態への移行前よりも高める特定遊技制御手段と、を備え、特定遊技制御手段は、第１の特別遊技または第２の特別遊技へ移行することに基づいて設定回数を決定し、設定回数の変動終了時に特定遊技状態を終了させるものの、第１表示制御手段による図柄変動表示の回数が設定回数に達して特定遊技終了条件が成立した時点で第２表示制御手段による図柄が既に変動中である場合には、当該変動に限り第２表示制御手段による図柄の変動時間を特定遊技状態のまま維持し、特定遊技状態において第２の特別遊技が発生したときに設定される設定回数は、特定遊技状態において第１の特別遊技が発生したときに設定される設定回数より多くなりやすい構成とされている。
【手続補正５】
【補正対象書類名】明細書
【補正対象項目名】０００９
【補正方法】変更
【補正の内容】
【０００９】
この態様における弾球遊技機としては、従来の第１種ぱちんこ遊技機を混在させたような遊技機などを想定する。可変入球装置において、遊技者に不利な状態とは、遊技球の入口が閉鎖した状態ないしは狭い状態を指してもよく、遊技者に有利な状態とは、遊技球の入口が開放した状態ないしは相対的に広い状態を指してもよい。この態様によると、特別遊技の終了後は図柄変動表示の時間が短縮されるので、設定回数が多いほど作動条件が成立するまでの期間、すなわち次の大当たりまでの期間が短縮される。また、開閉可能な普通電動役物が始動入賞口の上方に設けられている場合、設定回数に達するまでの間、普通電動役物の１回の開放時間を長くしてもよい。その場合、設定回数が多いほど始動入賞口への入球が多くなり、次の大当たりまでの期間が短縮される。また、設定回数に達するまでの間、普通電動役物を開放させる確率を高めてもよい。その場合もまた、設定回数が多いほど始動入賞口への入球が多くなり、次の大当たりまでの期間が短縮される。このように、設定回数次第で大当たりの発生しやすさが変わるので、設定回数の決定を通じて遊技性向上を図ることができる。また、遊技状態に応じて設定回数を決定するので、遊技状態に応じて度合いの異なる期待感を遊技者に与えることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】